(57)【要約】  【課題】  ＴＶアンテナを選択するスイッチのスイッチングノイズがＴＶアンテナを介して近接するラジオアンテナに誘導することを防止し、ＴＶアンテナが受信した受信信号の周波数帯域を調節するＴＶ受信装置を提供する。  【解決手段】  ＴＶ放送の電波を受信するＴＶアンテナ２ａ〜２ｄと、アンテナ出力端α１，β１，γ１，δ１と高周波回路入力端α２，β２，γ２，δ２間に設けたフィルタ手段３ａ〜３ｄと、高周波回路４と、ＴＶ受信機５とから構成し、フィルタ手段３ａ〜３ｄは、スイッチングノイズＮｓを減衰する減衰回路と、受信信号ＳRの周波数帯域を制限するハイパスフィルタ（ＨＰＦ）を備える。【選択図】  図１
2005268841.tif 000002
【特許請求の範囲】
【請求項１】
複数のアンテナからの受信信号の中で、受信状態の良い信号を選択するとともに、前記アンテナからの受信信号を増幅する高周波回路と、前記高周波回路で増幅した受信信号を入力する受信機と、からなるＴＶ受信装置において、
前記受信信号を選択するスイッチにおけるスイッチングノイズが前記アンテナを介して近接するラジオ受信用アンテナに誘導することを防止するとともに、前記アンテナからの受信信号の通過周波数帯域を調節するフィルタ手段を備えたことを特徴とするＴＶ受信装置。
【請求項２】
前記フィルタ手段は、コンデンサとコイルの組合せで、スイッチングノイズの減衰回路を構成するとともに、受信信号のカットオフ周波数を変更可能なハイパスフィルタを構成することを特徴とする請求項１記載のＴＶ受信装置。
【請求項３】
前記ハイパスフィルタは、前記コンデンサと前記コイルの組合せを縦続接続してカットオフ周波数以下の周波数に対するレベル減衰量を増加したことを特徴とする請求項２記載のＴＶ受信装置。
【請求項４】
前記減衰回路は、前記コンデンサと前記コイルの組合せを縦続接続してスイッチングノイズを減衰させることを特徴とする請求項２記載のＴＶ受信装置。
【発明の詳細な説明】
【技術分野】
【０００１】
本発明はＴＶ電波を受信して画像および音声で出力するＴＶ受信装置に係り、特にダイバーシティＴＶアンテナの切替えに伴うスイッチングノイズが近接するラジオアンテナに誘導して電波妨害になることを防止するＴＶ受信装置に関する。
【背景技術】
【０００２】
近頃、車両のリアウィンドウにラジオアンテナおよび複数のＴＶアンテナのガラスアンテナを形成し、車室内の運転席側に配置したラジオ受信機でラジオ放送を聞いたり、リアシート側に配置したＴＶ受信機でＴＶ放送を見たりできるものが知られている。
【０００３】
車両用のガラスアンテナは、車両の移動環境の中で受信感度が最適になるように、複数のアンテナを切り替えて最適な受信感度のアンテナを選択するダイバーシティ方式が採用されている。
【０００４】
また、従来のＦＭラジオ受信機およびテレビ受信機が一体化された車載用の受信装置は、「特許文献１」（テレビ／ラジオ受信装置）に開示されているように、ＦＭ放送およびテレビの音声は、その受信周波数帯が接近していることもあって、テレビ用アンテナ、ＦＭ放送用アンテナのいずれを用いても比較的良好に受信できることを利用し、ＦＭ放送受信時に、ＦＭ放送受信機とテレビ受信機に同一放送内容のネットワーク放送局を受信し、受信状態の良好な側の受信機で受信した受信信号（音声信号）を音声出力するように構成されている。
【特許文献１】特開平１０−６５５９０号公報
【発明の開示】
【発明が解決しようとする課題】
【０００５】
従来のガラスアンテナは、リアウィンドウのような限られた領域に、ラジオアンテナおよび複数のＴＶアンテナを形成するため、ラジオアンテナ（ＡＭラジオアンテナとＦＭラジオアンテナ）と近接するＴＶアンテナが必然的に存在することになり、ラジオアンテナとラジオアンテナに近接したＴＶアンテナとの間には、容量結合が発生する。
【０００６】
車室内の運転席側でラジオ放送を聞き、リアシート側でＴＶ放送を見ることを同時に行うことが可能な車両では、複数のＴＶアンテナからラジオアンテナに近接したＴＶアンテナが選択される場合、このＴＶアンテナを選択するスイッチ（例えば、ダイバーシティ制御回路）が発生するスイッチングノイズが選択されたＴＶアンテナを経由し、容量結合された近接するラジオアンテナに誘導することにより、スイッチングノイズがラジオアンテナで受信するラジオ放送の周波数帯にある場合には、スイッチングノイズがラジオ放送の受信信号に重畳し、ラジオ受信機で受信されてしまうため、ラジオ放送の音声出力がスイッチングノイズの影響を受ける電波障害が発生する課題がある。
【０００７】
図５にスイッチングノイズに伴うラジオ放送受信の電波障害現象の説明図を示す。図５において、ＴＶ／ラジオ受信システムは、例えばリアウィンドウに形成したガラスアンテナ５１と、ラジオ用高周波回路５２と、ＴＶ用高周波回路５３と、ラジオ受信機５４と、ＴＶ受信機５５から構成される。
【０００８】
ガラスアンテナ５１は、ラジオアンテナＡＮＴ１と、ＴＶアンテナＡＮＴ２〜ＴＶアンテナ５で構成され、ラジオアンテナＡＮＴ１とＴＶアンテナＡＮＴ２は、リアウィンドウの面積の制約によって近接した位置に配置される。
【０００９】
また、ＴＶアンテナＡＮＴ３およびＴＶアンテナＡＮＴ５は、リアウィンドウの曇り止め用のヒータ線を兼用し、バスバーを介してヒータ線に直流電流が流れる。
【００１０】
ラジオ用高周波回路５２は、コンデンサＣａと並列接続したコイルＬａに直列にコンデンサＣｂを接続した入力回路と増幅器５６で構成され、ラジオアンテナＡＮＴ１で受信したラジオ放送（例えば、ＡＭ、ＦＭラジオ放送）の受信信号が入力回路を介して増幅器５６で高周波増幅され、高周波増幅した受信信号をラジオ受信機に供給して音声が出力される。
【００１１】
ＴＶ用高周波回路５３は、ＴＶアンテナＡＮＴ２〜ＴＶアンテナＡＮＴ５についてそれぞれコンデンサＣとダイオードＤを直列接続し、コンデンサＣとダイオードＤの接続点にコイルＬを接続した入力回路と、入力回路のダイオードの他端（アノード側）を全て接続して入力に接続した増幅回路５８と、入力回路のコイルＬの他端をそれぞれスイッチの接点Ｃａ〜接点Ｃｄに接続し、ＴＶ放送の受信信号が最大となるＴＶアンテナＡＮＴ２〜ＴＶアンテナＡＮＴ５を選択するダイバーシティ制御回路５７で構成され、ダイバーシティ制御回路５７で選択された接点Ｃａ〜Ｃｄが接続された入力回路を動作させ、ＴＶアンテナＡＮＴ２〜ＴＶアンテナＡＮＴ５の選択されたＴＶアンテナで受信したＴＶ放送の受信信号がコンデンサＣとダイオードＤの直列回路（入力回路）を介して増幅器５８で高周波増幅され、高周波増幅した受信信号をＴＶ受信機５５に供給して画像および音声が発生される。
【００１２】
なお、ダイバーシティ制御回路５７は、ＴＶアンテナ（例えば、ＴＶアンテナＡＮＴ２）を選択する場合、スイッチの接点Ｃａを直流的にＬレベルに設定し、ダイオードＤのアノード→カソード→コイルＬを介して直流電流を接点Ｃａに引き込むことにより、ダイオードＤをオン状態にし、ＴＶ用アンテナＡＮＴ２で受信したＴＶ放送の受信信号を入力回路のコンデンサＣおよびダイオードＤを介して増幅器５８に供給して高周波増幅が実行される。
【００１３】
また、ダイバーシティ制御回路５７は、ＴＶアンテナ（例えば、ＴＶアンテナＡＮＴ２）を選択する場合、スイッチの接点Ｃａを直流的にＬレベルに設定することに伴う、スイッチングノイズＮｓが発生し、スイッチングノイズＮｓが入力回路のコイルＬ→コンデンサＣを介してＴＶ用アンテナＡＮＴ２に発生する（破線表示）。
【００１４】
一方、ラジオアンテナＡＮＴ１がＴＶアンテナＡＮＴ２に近接しているため、ラジオアンテナＡＮＴ１とＴＶアンテナＡＮＴ２の結合容量により、ＴＶ用アンテナＡＮＴ２に発生したスイッチングノイズＮｓがラジオアンテナＡＮＴ１に誘導し、入力回路を介して増幅器５６で高周波増幅され、高周波増幅されたスイッチングノイズＮｓがラジオ受信機５４に供給される（破線表示）。
【００１５】
スイッチングノイズＮｓがラジオ受信機５４に供給された時点で、ラジオ受信機５４が動作していると、ラジオ放送の受信信号ＳRにスイッチングノイズＮｓが重畳してラジオ受信機５４に受信されることになり、ラジオ放送の音声出力がスイッチングノイズの影響を受けて電波障害が発生してしまう。
【００１６】
なお、スイッチングノイズＮｓがラジオ放送の電波障害になるケースは、スイッチングノイズＮｓがラジオ放送の受信周波数帯にある場合に顕著でなり、スイッチングノイズＮｓとラジオ放送の受信信号ＳRが同じ周波数帯にあることから、ラジオ用高周波回路５２でスイッチングノイズＮｓを減衰させ、ラジオ放送の受信信号ＳRに影響を与えないようにすることができない。
【００１７】
また、「特許文献１」に開示されたＡＭ、ＦＭラジオ受信機およびテレビ受信機が一体化された車載用の受信装置は、前述したように、ＴＶアンテナとラジオアンテナが近接し、選択されたＴＶアンテナにダイバーシティ方式のスイッチングノイズが発生する状態で、ＴＶ放送とラジオ放送を同時に受信する場合には、ラジオ受信機の音声出力がスイッチングノイズの影響を受けて電波障害が発生してしまう課題がある。
【００１８】
この発明はこのような課題を解決するためになされたもので、その目的はＴＶアンテナを選択するスイッチのスイッチングノイズがＴＶアンテナを介して近接するラジオアンテナに誘導することを防止し、ＴＶアンテナが受信した受信信号の周波数帯域を調節するＴＶ受信装置を提供することにある。
【課題を解決するための手段】
【００１９】
前記課題を解決するためこの発明に係るＴＶ受信装置は、複数のアンテナからの受信信号の中で、受信状態の良い信号を選択するとともに、アンテナからの受信信号を増幅する高周波回路と、高周波回路で増幅した受信信号を入力する受信機とからなるＴＶ受信装置において、受信信号を選択するスイッチにおけるスイッチングノイズがアンテナを介して近接するラジオ受信用アンテナに誘導することを防止するとともに、アンテナからの受信信号の通過周波数帯域を調節するフィルタ手段を備えたことを特徴とする。
【００２０】
この発明に係るＴＶ受信装置は、受信信号を選択するスイッチにおけるスイッチングノイズがアンテナを介して近接するラジオ受信用アンテナに誘導することを防止するとともに、アンテナからの受信信号の通過周波数帯域を調節するフィルタ手段を備えたので、アンテナとラジオアンテナが近接していてもスイッチングノイズを充分に減衰させ、ＴＶ放送の受信信号の周波数帯を調整して良好な受信状態を確保し、車両内などでラジオ放送ならびにＴＶ放送を同時に楽しむことができる。
【００２１】
また、この発明に係るフィルタ手段は、コンデンサとコイルの組合せで、スイッチングノイズの減衰回路を構成するとともに、受信信号のカットオフ周波数を変更可能なハイパスフィルタを構成することを特徴とする。
【００２２】
この発明に係るフィルタ手段は、コンデンサとコイルの組合せで、スイッチングノイズの減衰回路を構成するとともに、受信信号のカットオフ周波数を変更可能なハイパスフィルタを構成するので、単純な構成でスイッチングノイズを減衰させ、受信信号の周波数特性を最適に設定することができる。
【００２３】
さらに、この発明に係るハイパスフィルタは、コンデンサとコイルの組合せを縦続接続してカットオフ周波数以下の周波数に対するレベル減衰量を増加したことを特徴とする。
【００２４】
この発明に係るハイパスフィルタは、コンデンサとコイルの組合せを縦続接続してカットオフ周波数以下の周波数に対するレベル減衰量を増加したので、不要な低周波成分を充分に減衰させることができる。
【００２５】
また、この発明に係る減衰回路は、コンデンサとコイルの組合せを縦続接続してスイッチングノイズを減衰させることを特徴とする。
【００２６】
この発明に係る減衰回路は、コンデンサとコイルの組合せを縦続接続してスイッチングノイズを減衰させるので、スイッチングノイズが近接するラジオアンテナへ誘導することを防止することができる。
【発明の効果】
【００２７】
この発明に係るＴＶ受信装置は、受信信号を選択するスイッチにおけるスイッチングノイズがアンテナを介して近接するラジオ受信用アンテナに誘導することを防止するとともに、アンテナからの受信信号の通過周波数帯域を調節するフィルタ手段を備えたので、アンテナとラジオアンテナが近接していてもスイッチングノイズを充分に減衰させ、ＴＶ放送の受信信号の周波数帯を調整して良好な受信状態を確保し、車両内などでラジオ放送ならびにＴＶ放送を同時に楽しむことができ、機能性の向上をアピールすることができる。
【００２８】
また、この発明に係るフィルタ手段は、コンデンサとコイルの組合せで、スイッチングノイズの減衰回路を構成するとともに、受信信号のカットオフ周波数を変更可能なハイパスフィルタを構成するので、単純な構成でスイッチングノイズを減衰させ、受信信号の周波数特性を最適に設定することができ、近接したラジオアンテナのラジオ放送ならびにＴＶ放送を最適に同時受信することができる。
【００２９】
さらに、この発明に係るハイパスフィルタは、コンデンサとコイルの組合せを縦続接続してカットオフ周波数以下の周波数に対するレベル減衰量を増加したので、不要な低周波成分を充分に減衰させることができ、必要とされるＴＶ周波数帯域の受信信号を減衰することなく、通過させることができる。
【００３０】
また、この発明に係る減衰回路は、コンデンサとコイルの組合せを縦続接続してスイッチングノイズを減衰させるので、スイッチングノイズが近接するラジオアンテナへ誘導することを防止することができ、ラジオ放送受信への電波妨害を解消することができる。
【発明を実施するための最良の形態】
【００３１】
以下、この発明の実施の形態を添付図面に基づいて説明する。本発明の基本的な技術思想は、ダイバーシティ方式のＴＶアンテナを切り替える際に発生するスイッチングノイズをノイズ発生源からＴＶアンテナまでの経路のＴＶ受信装置自身内部で減衰させることにある。
【００３２】
図１はこの発明に係るＴＶ受信装置の一実施の形態ブロック構成図である。図１において、ＴＶ受信装置１は、ＴＶ放送の電波を受信するＴＶアンテナ２ａ〜２ｄと、アンテナ出力端α１，β１，γ１，δ１と高周波回路入力端α２，β２，γ２，δ２間に設けたフィルタ手段３ａ〜３ｄと、高周波回路４と、ＴＶ受信機５とから構成する。
【００３３】
ＴＶアンテナ２ａ〜２ｄは、例えば車両のリアウィンドウに形成したガラスアンテナ、ロッドアンテナなどで構成し、ＴＶ放送電波の受信感度（受信信号）が最大なものを高周波回路４のダイバーシティ制御回路６が選択することにより設定される。なお、ＴＶアンテナ２ａ〜２ｄは、ガラスアンテナまたはロッドアンテナに拘わらず近接してラジオ放送受信用のラジオアンテナが存在するものとする。
【００３４】
フィルタ手段３ａ〜３ｄは、ＴＶアンテナのアンテナ出力端α１，β１，γ１，δ１と高周波回路入力端α２，β２，γ２，δ２間の信号経路に配置し、ダイバーシティ制御回路６の制御によってＴＶアンテナ２ａ〜２ｄを選択するスイッチｓｗａ〜ｓｗｄがオンする時に発生するスイッチングノイズＮｓがＴＶアンテナ２ａ〜２ｄを介して近接するラジオアンテナに誘導することを防止する。
【００３５】
また、フィルタ手段３ａ〜３ｄは、ＴＶアンテナ２ａ〜２ｄが受信した受信信号ＳRの周波数帯域を調節する。
【００３６】
高周波回路４は、複数のアンテナ２ａ〜２ｄ（ＴＶアンテナ）からの受信信号の中で、受信状態の良い信号を選択するとともに、アンテナ２ａ〜２ｄからの受信信号を増幅するものであり、ＴＶアンテナ２ａ〜２ｄに対してそれぞれコンデンサＣ、ダイオードＤ、コイルＬを備え、ダイバーシティ制御回路６の制御によってＴＶアンテナ２ａ〜２ｄの選択ならびに選択されたＴＶアンテナ２ａ〜２ｄが受信する受信信号ＳRをＴＶ受信機５に提供する。
【００３７】
また、高周波回路４は、ダイバーシティ制御回路６を備え、スイッチｓｗａ〜ｓｗｄでＴＶアンテナ２ａ〜２ｄを順番に切り替えて受信信号ＳRを受信して受信信号ＳRのレベルを比較し、レベルが最大となる受信信号ＳRのＴＶアンテナ（例えば、ＴＶアンテナ２ａ）をＴＶアンテナ２ａ〜２ｄの中から選択するように、スイッチ（例えば、スイッチｓｗａ）をオン状態に制御する。
【００３８】
ＴＶアンテナ（例えば、ＴＶアンテナ２ａ）の選択は、スイッチ（例えば、スイッチｓｗａ）をオン状態にし、直流電位をダイオードＤのアノード電位よりもＬレベルにすることにより、高周波増幅器７の入力側→ダイオードＤ→コイルＬ→スイッチｓｗａ経由で直流電流を流してダイオードＤを交流的にオン状態とし、ＴＶアンテナ２ａで受信した受信信号ＳRを直流阻止コンデンサＣ→ダイオードＤ（カソード→アノード）→高周波増幅器７経由でＴＶ受信機５に供給する。なお、コイルＬは受信信号ＳRを減衰させない交流インピーダンスに設定する。
【００３９】
ＴＶアンテナ２ａ〜２ｄ（例えば、ＴＶアンテナ２ａ）を選択した時、スイッチｓｗａがオンすることに伴うスイッチングノイズＮｓが発生し、スイッチｓｗａ→コイルＬ→直流阻止コンデンサＣ→フィルタ手段３ａを経由してＴＶアンテナ２ａに現れる（一点鎖線表示）が、フィルタ手段３ａでスイッチングノイズＮｓを充分に減衰（低減）する。
【００４０】
なお、ＴＶアンテナ２ａ〜２ｄに対応するそれぞれのダイオードＤのアノード側を接続して高周波増幅器７に提供し、ＴＶアンテナ２ａ〜２ｄのいずれが選択された場合にも受信された受信信号ＳRが共通に高周波増幅されてＴＶ受信機５に供給されるように構成する。
【００４１】
さらに、高周波回路４は、高周波増幅器７を備え、ＴＶアンテナ２ａ〜２ｄで受信された受信信号ＳRを高周波増幅し、増幅した受信信号ＳRをＴＶ受信機５に供給する。
【００４２】
ＴＶ受信機５は、高周波回路４で増幅した受信信号を入力するもので、高周波回路４から供給される受信信号ＳRから設定されたチャネル周波数の信号を選択し、選択した信号を画像信号と音声信号に再生し、表示器に画像を表示し、スピーカから音声を出力する。
【００４３】
なお、本実施の形態では、ＴＶアンテナ２ａ〜２ｄを車両のリアウィンドウに形成したガラスアンテナなどで構成したが、車両のリアウィンドウに限定されるものではなく、フロントウィンドウ、サイドウィンドウに形成してもよい。
【００４４】
図２はこの発明に係るフィルタ手段の一実施の形態回路構成図である。（ａ）図は回路図、（ｂ）図はスイッチングノイズの減衰特性、（ｃ）図はフィルタ特性を表わす。なお、フィルタ手段３ａ〜３ｄは、全て同じ構成なのでフィルタ手段３ａについて説明する。
【００４５】
（ａ）図において、フィルタ手段３ａは、アンテナ出力端α１と高周波回路入力端α２のスイッチングノイズＮｓの経路と共通になる受信信号ＳRの信号経路に配置して、信号経路にコンデンサＣ１およびコンデンサＣ２を直列に接続し、コンデンサＣ１とコンデンサＣ２の接続点と、接地（ＧＮＤ）間にコイルＬ１を接続したＴ型回路で構成する。なお、コンデンサＣ１またはコンデンサＣ２は、図１に示す直流阻止コンデンサＣを兼用する。
【００４６】
コンデンサＣ２とコイルＬ１は、スイッチングノイズＮｓに対して減衰回路を構成し、コンデンサＣ２のインピーダンスＺc2（＝１／ｊωＣ２）とコイルＬ１のインピーダンスＺL1（＝ｊωＬ１）の分割比｛＝ＺL1／（Ｚc2＋ＺL1）｝でスイッチングノイズＮｓを減衰｛＝ＺL1・Ｎｓ／（Ｚc2＋ＺL1）｝する。
【００４７】
（ｂ）図において、スイッチングノイズＮｓの減衰特性は、高周波回路入力端α２側を０ｄＢ（正規化レベル）とすると、アンテナ出力端α１側では、｛＝ＺL1・Ｎｓ／（Ｚc2＋ＺL1）｝に減衰されて−ＸｄＢとなる。
【００４８】
減衰回路は、コンデンサＣ２の容量値を小さくしてインピーダンスＺc2を大きくするか、コイルＬ１のインダクタンス値を小さくしてインピーダンスＺL1を小さくすることにより、スイッチングノイズＮｓの減衰を多くすることができる。
【００４９】
また、コンデンサＣ１とコイルＬ１は、受信信号ＳRに対して一次のハイパスフィルタ（ＨＰＦ）を構成し、コンデンサＣ２の容量値とコイルＬ１のインダクタンス値で設定される減衰量３ｄＢポイントのカットオフ周波数ｆC｛＝１／２π√（Ｌ１・Ｃ２）｝よりも低い周波数の減衰量をオクターブ６ｄＢで減衰させる減衰特性を有する。
【００５０】
（ｃ）図において、受信信号ＳRは、高周波帯域（例えば、ＴＶ放送帯域）では０ｄＢ（正規化レベル）であるが、カットオフ周波数ｆC（−３ｄＢポイント）を下回る周波数では−６ｄＢ／オクターブの減衰をするため、カットオフ周波数ｆC以下の周波数帯域（例えば、ＦＭ放送の周波数帯域）を減衰させることができる。
【００５１】
ハイパスフィルタ（ＨＰＦ）は、コンデンサＣ２の容量値およびコイルＬ１のインダクタンス値を大きくすることによりカットオフ周波数ｆC｛＝１／２πＣ２ＺO｝（Ｃ１＝Ｃ２）を低く設定することができ、一方コンデンサＣ２の容量値およびコイルＬ１のインダクタンス値を小さくすることによりカットオフ周波数ｆC｛＝ＺO／Ｌ１π｝を高く設定することができる。
【００５２】
フィルタ手段３ａは、減衰回路の作用によりスイッチングノイズＮｓを充分に低減してＴＶアンテナ２ａに現れるスイッチングノイズ成分を小さくすることができるので、近接したラジオアンテナが存在しても、ラジオアンテナに誘導するスイッチングノイズ成分の影響を防止し、車室内でＴＶ放送およびラジオ放送を同時に聴取する場合でも、ラジオ放送およびＴＶ放送の双方を良好に受信することができる。
【００５３】
また、フィルタ手段３ａは、ハイパスフィルタ（ＨＰＦ）の作用により、フラットな周波数受信特性を有するＴＶアンテナ２ａで受信した受信信号ＳRからラジオ周波数帯域をフィルタリングすることができるので、ＴＶ放送を良好に受信することができる。
【００５４】
このように、この発明に係るフィルタ手段３ａ〜３ｄは、コンデンサＣ１，Ｃ２とコイルＬ１の組合せで、スイッチングノイズＮｓの減衰回路を構成するとともに、受信信号ＳRのカットオフ周波数ｆCを変更可能なハイパスフィルタ（ＨＰＦ）を構成するので、単純な構成でスイッチングノイズＮsを減衰させ、受信信号ＳRの周波数特性を最適に設定することができ、近接したラジオアンテナのラジオ放送ならびにＴＶ放送を最適に同時受信することができる。
【００５５】
図３はこの発明に係るフィルタ手段の別実施の形態回路構成図である。図３において、フィルタ手段８は、図２に示すフィルタ手段３ａのコイルＬ１にコイルＬ２を並列に接続した構成にする。
【００５６】
減衰回路は、コイルＬ１にコイルＬ２を並列に接続したので、コイルの合成インピーダンスＺLは、コイルＬ１のインピーダンスＺL1とコイルＬ２のインピーダンスＺL2の並列インピーダンス｛＝ＺL1・ＺL2／（ＺL1＋ＺL2）｝となってインピーダンスが低下し、アンテナ出力端α１側のスイッチングノイズＮｓ成分を一層減衰することができる。
【００５７】
ハイパスフィルタ（ＨＰＦ）は、コイルの並列インピーダンス｛＝ＺL1・ＺL2／（ＺL1＋ＺL2）｝が低下するので、カットオフ周波数ｆCが増加して高くなるが、コンデンサＣ１の容量値を高く設定することにより、カットオフ周波数ｆCを図２に示すものと同じ周波数に調整することができる。
【００５８】
図４はこの発明に係るフィルタ手段の別実施の形態回路構成図である。図４において、フィルタ手段９は、図２に示すフィルタ手段３ａのコンデンサＣ２にコンデンサＣ３を直列接続し、コンデンサＣ２とコンデンサＣ３の接続点と接地（ＧＮＤ）間にコイルＬ３を接続したもので、コンデンサとコイルの組合せを縦続接続して構成する。
【００５９】
減衰回路は、スイッチングノイズＮｓに対してコンデンサＣ３のインピーダンスＺc3（＝１／ｊωＣ３）とコイルＬ３のインピーダンスＺL3（＝ｊωＬ３）の分割比｛＝ＺL3／（Ｚc3＋ＺL3）｝でスイッチングノイズＮｓを減衰｛＝ＺL3・Ｎｓ／（Ｚc3＋ＺL3）｝する。
【００６０】
さらに、コンデンサＣ２とコイルＬ１は、｛ＺL3・Ｎｓ／（Ｚc3＋ＺL3）｝に減衰されたスイッチングノイズＮｓの減衰成分に対して、コンデンサＣ２のインピーダンスＺc2（＝１／ｊωＣ２）とコイルＬ１のインピーダンスＺL1（＝ｊωＬ１）の分割比｛＝ＺL1／（Ｚc2＋ＺL1）｝で減衰｛＝ＺL1・Ｎｓ／（Ｚc2＋ＺL1）・ＺL3／（Ｚc3＋ＺL3）｝する。
【００６１】
これにより、減衰回路は、スイッチングノイズＮｓを大幅に減衰し、ＴＶアンテナ２ａに現れるスイッチングノイズＮｓ成分が近接するラジオアンテナに誘導することを防止する。
【００６２】
一方、ハイパスフィルタ（ＨＰＦ）は、コンデンサＣ１とコイルＬ１で構成する一次のハイパスフィルタ（ＨＰＦ）に、コンデンサＣ２とコイルＬ３で構成する一次のハイパスフィルタ（ＨＰＦ）を併せた二次のハイパスフィルタ（ＨＰＦ）を形成する。
【００６３】
カットオフ周波数ｆcは、コンデンサＣ１とコンデンサＣ２の容量値およびコイルＬ１とコイルＬ３のインダクタンス値を調整することにより、図２の（ｃ）図に示すカットオフ周波数ｆcに設定することができる。
【００６４】
一方、カットオフ周波数ｆC以下の周波数に対する減衰量を−１２ｄＢ／オクターブと大幅に減衰することができるので、ＴＶアンテナ２ａで受信した受信信号ＳRからラジオ周波数帯域を大幅にフィルタリングし、ＴＶ放送を良好に受信することができる。
【００６５】
このように、この発明に係るハイパスフィルタは、コンデンサとコイルの組合せ（コンデンサＣ１とコイルＬ１、コンデンサＣ２とコイルＬ３）を縦続接続してカットオフ周波数ｆC以下の周波数に対するレベル減衰量を増加したので、不要な低周波成分を充分に減衰させることができ、必要とされるＴＶ周波数帯域の受信信号を減衰することなく、通過させることができる。
【００６６】
また、この発明に係る減衰回路は、コンデンサとコイルの組合せ（コンデンサＣ２とコイルＬ１、コンデンサＣ３とコイルＬ３）を縦続接続してスイッチングノイズＮｓを減衰させるので、スイッチングノイズＮｓが近接するラジオアンテナへ誘導することを防止することができ、ラジオ放送受信への電波妨害を解消することができる。
【００６７】
なお、コンデンサとコイルの組合せたものの縦続接続は、３組以上の縦続接続であってもよい。また、ＴＶアンテナの配置位置は、ガラスに形成したガラスアンテナやロッドアンテナでもよい。さらに、フィルタ手段は、ガラスアンテナのアンテナ出力端であれば、ガラス上でもよく、高周波回路入力端は、高周波回路のダイオードＤとコイルＬの接続点よりもＴＶアンテナ側であればよい。
【００６８】
以上説明したように、この発明に係るＴＶ受信装置１は、受信信号を選択するスイッチにおけるスイッチングノイズＮｓがアンテナ（ＴＶアンテナ２ａ〜２ｄ）を介して近接するラジオ受信用アンテナに誘導することを防止するとともに、アンテナ（ＴＶアンテナ２ａ〜２ｄ）からの受信信号の通過周波数帯域を調節するフィルタ手段（３ａ〜３ｄ）を備えたので、アンテナとラジオアンテナが近接していてもスイッチングノイズＮｓを充分に減衰させ、ＴＶ放送の受信信号ＳRの周波数帯を調整して良好な受信状態を確保し、車両内などでラジオ放送ならびにＴＶ放送を同時に楽しむことができ、機能性の向上をアピールすることができる。
【産業上の利用可能性】
【００６９】
本発明に係るＴＶ受信装置は、ＴＶアンテナを選択するスイッチのスイッチングノイズがＴＶアンテナを介して近接するラジオアンテナに誘導することを防止し、ＴＶアンテナが受信した受信信号の周波数帯域を調節するもので、ガラスアンテナまたはロッドアンテナを用いたあらゆるＴＶ受信装置に適用することができる。
【図面の簡単な説明】
【００７０】
【図１】この発明に係るＴＶ受信装置の一実施の形態ブロック構成図
【図２】この発明に係るフィルタ手段の一実施の形態回路構成図
【図３】この発明に係るフィルタ手段の別実施の形態回路構成図
【図４】この発明に係るフィルタ手段の別実施の形態回路構成図
【図５】スイッチングノイズに伴うラジオ放送受信の電波障害現象の説明図
【符号の説明】
【００７１】
１    ＴＶ受信装置
２ａ〜２ｄ    ＴＶアンテナ
３ａ〜３ｄ，８，９    フィルタ手段
４    高周波回路
５    ＴＶ受信機
６    ダイバーシティ制御回路
７    高周波増幅器７
Ｃ，Ｃ１．Ｃ２，Ｃ３    コンデンサ
Ｄ    ダイオード
Ｌ，Ｌ１．Ｌ２    コイル
ｓｗａ〜ｓｗｄ    スイッチ
α１，β１，γ１，δ１    アンテナ出力端
α２，β２，γ２，δ２    高周波回路入力端
Ｎｓ    スイッチングノイズ
ＳR    受信信号
【図１】
2005268841.tif 000003
【図２】
2005268841.tif 000004
【図３】
2005268841.tif 000005
【図４】
2005268841.tif 000006
【図５】
2005268841.tif 000007